(57)【要約】【課題】様々な場所へ取り付け容易な忌避剤取付具及びこれを用いた有害生物忌避方法を提供すること。【解決手段】忌避剤を収容する容器と、線状で柔軟性を有する取付材との一体成形品であって、容器は、忌避剤を揮散可能な揮散部を備え、取付材には、保持部が形成してあり、保持部は、容器を構成する壁内に埋め込んであり、取付材に対する容器の回動及び長手方向の移動を規制する。【選択図】      図１
2018191542.tif 000002
【特許請求の範囲】
【請求項１】
忌避剤を収容する容器と、線状で柔軟性を有する取付材との一体成形品であって、
容器は、忌避剤を揮散可能な揮散部を備え、
取付材には、保持部が形成してあり、
保持部は、容器を構成する壁内に埋め込んであり、取付材に対する容器の回動及び長手方向の移動を規制することを特徴とする忌避剤取付具。
【請求項２】
前記容器内に忌避剤を収容し、前記取付材の一部又は全体を被取付体に巻き付けて設置することを特徴とする請求項１に記載の忌避剤取付具を用いた有害生物忌避方法。
【発明の詳細な説明】
【技術分野】
【０００１】
本発明は、忌避剤取付具及び有害生物忌避方法に関する。
【背景技術】
【０００２】
近年では、森林の伐採や土地開発等により野生生物の生息地が狭められ、人と野生生物の居住地域が接近している。そのため、住宅地、農地、工場地等、様々な場所へ野生生物が出没し、多くの深刻な問題が生じている。例えば、害獣は農作物を荒らすだけでなく、人を襲う被害も生じている。また、住宅地等において鳥類が営巣し、糞害が深刻な問題となっている。
このような問題を解決するために、有害生物に対して忌避効果を有する多種多様な忌避剤が提供されている。
【発明の概要】
【発明が解決しようとする課題】
【０００３】
忌避剤の一般的な設置方法として、対象の場所へそのまま撒く方法や、忌避剤を容器に収容して平坦面へ載置しておく方法がある。しかしながら、例えば木の幹や枝などの不安定な場所へ設置することは困難であり、そのような場所においては作業性が悪く、また、忌避剤の効果を最大限に発揮できないという問題があった。
本発明は上記実情に鑑み、様々な場所へ取り付け容易な忌避剤取付具及びこれを用いた有害生物忌避方法を提供することを目的とする。
【課題を解決するための手段】
【０００４】
本発明の忌避剤取付具は、忌避剤を収容する容器と、線状で柔軟性を有する取付材との一体成形品であって、容器は、忌避剤を揮散可能な揮散部を備え、取付材には、保持部が形成してあり、保持部は、容器を構成する壁内に埋め込んであり、取付材に対する容器の回動及び長手方向の移動を規制することを特徴とする。
【０００５】
また、本発明の有害生物忌避方法は、請求項１に記載の忌避剤取付具を用い、前記容器内に忌避剤を収容し、前記取付材の一部又は全体を被取付体に巻き付けて設置することを特徴とする。
【発明の効果】
【０００６】
本発明の忌避剤取付具は、忌避剤を収容する容器と、線状で柔軟性を有する取付材との一体成形品であるため生産性が良く、取付材を被取付体へ容易に取り付けることが可能であり、様々な場所において忌避剤を設置することが可能となる。また、取付材には、保持部が形成してあり、保持部は、容器を構成する壁内に埋め込んであり、取付材に対する容器の回動及び長手方向の移動を規制するため、容器の回動や、位置ずれを防ぎ、取付け作業も容易となる。
【０００７】
また、本発明の有害生物忌避方法は、忌避剤取付具の容器内に忌避剤を収容し、取付材の一部又は全体を被取付体に巻き付けて設置するため、様々な場所において忌避剤を設置することが容易となる。
【図面の簡単な説明】
【０００８】
【図１】忌避剤取付具の第一実施形態を示し、（ａ）は平面図、（ｂ）は側面図である。
【図２】（ａ）は図１のＡ−Ａ線断面図、（ｂ）はＢ部分の拡大図である。
【図３】忌避剤取付具の設置方法の一例を示す図である。
【図４】（ａ）は忌避剤取付具の第二実施形態を示し、（ｂ）は第三実施形態を示す。
【図５】（ａ）は忌避剤取付具の第四実施形態を示し、（ｂ）は第五実施形態を示す。
【発明を実施するための形態】
【０００９】
以下、本発明の実施の形態を図面に基づいて説明する。
図１（ａ）（ｂ）に示すように、この忌避剤取付具は、忌避剤を収容する容器１０と、線状で柔軟性を有する取付材２０との一体成形品である。一本の取付材２０と一以上の容器１０によって構成されるものであり、容器１０の個数は問わない。
【００１０】
第一実施形態における容器１０は、円筒状の側壁１３ａと、円形の底壁１３ｂからなり、上部に開口を有する。容器１０内へ忌避剤を収容すると、上部の開口が揮散部１１となって忌避剤が容器１０の外部へ揮散する。揮散部１１は、容器１０の外部へ忌避剤を揮散可能であれば、特に限定されるものではなく、図１及び図２に示す第一実施形態のように、上部に設けた開口であってもよいし、図３に示すようなメッシュ状の蓋や、図４（ｂ）に示すような側壁１３ａに設けたスリットを揮散部１１としてもよい。容器１０の材質は樹脂であり、用途に合わせて、耐薬性や耐候性を有する樹脂や、土に還るバイオ樹脂等、様々な樹脂を用いることができる。
【００１１】
取付材２０は、線状で柔軟性を有するものであれば材質を特に限定されるものではないが、例えば、針金、アルミ線、銅線、真鍮線、ステンレス線、ピアノ線、被覆線、綿紐、麻紐、ゴム等を用いることが可能である。取付材２０に複数の容器１０を備える場合は、取付材２０の長手方向に沿い、間隔をあけて容器１０が配置される。取付材２０は容器１０よりも十分に長い寸法であって、容器１０の一端又は両端から延出する。
取付材２０は、容器１０となる樹脂とともに、いわゆるインサート成形によって一体成形されることにより、容器１０の壁内に埋め込まれるように固定される。詳しくは、容器１０の底壁１３ｂには凸部１２が設けてあり、図１及び図２に示すように、凸部１２の中心部を取付材２０が貫くように形成してある。取付材２０の凸部１２に覆われる部分には、予め保持部２１が設けてある。保持部２１は、取付材２０を二方向から挟み込むようにプレス加工して形成されており、図２（ｂ）に示すように、取付材２０の外周部の二箇所に凹状の保持部２１，２１が形成してある。
【００１２】
次に忌避剤取付具の使用方法を示す。
まず、容器１０内に忌避剤を充填する。忌避剤は固形状やジェル状等、どのような形態のものを用いてもよい。例えば、電信柱、街路樹の幹や枝等の被取付体３０に忌避剤取付具を取付ける場合には、取付材２０の一端部を被取付体３０に巻き付ける等して固定する。そして、取付材２０と容器１０とを被取付体３０に巻き付け、取付材２０の他端部も被取付体３０へ固定すれば、図３に示すように、被取付体３０が円柱状であっても容器１０をしっかりと固定することができる。このような使用方法の他に、取付材２０の一端部を軒先等に結び付け、吊下げる等してもよい。また、複数の容器１０を連ねた忌避剤取付具は、使用時に取付材２０を切断し、用途や取付場所に合わせた長さに調整することができる。
【００１３】
本発明は、容器１０と取付材２０とを一体形成によって製造するため、様々な形状の金型を用いて製造することで、用途や使用場所に合わせた形状の容器１０を適用することができる。以下に様々な形状の容器１０を用いた忌避剤取付具の例を挙げる。
図４（ａ）に示す第二実施形態では、容器１０は細長く、湾曲した形状である。このような忌避剤取付具であれば、複雑な形状の被取付体にも容器１０を沿わせることが可能であり、しっかりと固定できる。
図４（ｂ）に示す第三実施形態では、容器１０は第一実施形態と略同じ円筒形状だが、側壁１３ａに複数のスリット状の揮散部１１が設けてある。このような忌避剤取付具であれば、上部からだけでなく水平方向からも忌避剤を揮散させることができる。
図５（ａ）に示す第四実施形態では、容器１０が星形である。このような忌避剤取付具であれば、意匠性に優れる。
図５（ｂ）に示す第五実施形態では、容器１０は矩形の箱状であるが、底壁１３ｂに取付材２０の長手方向へ延びる半円柱形状の凹部１４が設けてある。また、容器１０の上部には蓋を備え、蓋には複数の穴が揮散部１１として設けてある。このような忌避剤取付具であれば、例えば円柱状の被取付体３０に取り付ける際に、凹部１４へ被取付体３０が嵌まり込むので、容器１０が被取付体３０へより密着し、安定して取り付けることができる。
【００１４】
このように構成した忌避剤取付具によれば、忌避剤を収容する一以上の容器１０と、線状で柔軟性を有する一本の取付材２０との一体成形品であるため、組み立てを行う必要がなく生産効率が良い。また一体成形によれば、様々な形状の容器１０を効率良く生産することができるため、用途に合わせて対応させることが容易である。そして、容器１０と取付材２０の材質の組み合わせには多様性があるため、例えば、建物や街路樹へ用いるものには強度を有する材質を組み合わせ、絶縁性を持たせたい場合は工業用樹脂と被覆線を組み合わせ、農地へ用いるものにはバイオ樹脂と麻紐や綿紐を組み合わせることができる。
取付材２０の凸部１２に覆われる部分には、予め保持部２１が設けてある。保持部２１は容器１０を構成する壁（底壁１３ｂの凸部１２）内に埋め込まれている。容器１０と取付材２０は、異なる材質からなるものであるため、インサート成形によって容器１０と取付材２０を密着させることは困難であるが、予め取付材２０に設けた凹状の保持部２１へ樹脂が流れ込むことで、取付材２０に対する容器１０の回動及び長手方向の移動が規制されるため、容器１０の回動や、位置ずれを防ぎ、容器１０内に収容した忌避剤が容器１０外へこぼれ出るおそれがなく、取付け作業も容易となる。
【００１５】
本発明は上記実施形態に限定されるものではなく、その趣旨を逸脱しない範囲において適宜変更可能である。例えば、上記実施形態では容器の底壁に取付材を覆うための凸部が設けてあるが、容器を構成する壁内に取付材を覆うことができれば、必ずしも凸部を設ける必要はない。また、取付材を覆う容器の壁は、底壁に限られず、側壁であってもよい。そして、取付材に予め設ける保持部は、取付材に対する容器の回動及び長手方向の移動が規制できるものであれば、プレス加工して形成される凹状のものに限られず、例えば凸状のものであってもよい。
【符号の説明】
【００１６】
１０    容器
１１    揮散部
１２    凸部
１３ａ  側壁
１３ｂ  底壁
１４    凹部
２０    取付材
２１    保持部
３０    被取付体
【図１】
2018191542.tif 000003
【図２】
2018191542.tif 000004
【図３】
2018191542.tif 000005
【図４】
2018191542.tif 000006
【図５】
2018191542.tif 000007